(57)【要約】【課題】シールド端子ユニットの組立容易性およびシールドケースの強度を確保しつつ、シールド端子ユニットに接続されたケーブルまたは相手コネクタ等とのインピーダンス整合を容易に図る。【解決手段】シールド端子ユニット１１のシールドケース２１は、シールドケース本体２２およびシールドカバー４１を有し、シールドカバー４１において、上壁板４２の前部前側の左右方向中間部には、下方に窪む上側窪み部４５が形成されている。また、上壁板４２の前部前側の左右方向中間部を下方に窪ませたことにより、上壁板４２の前部前側とカバー左壁板４３との連結部分および上壁板４２の前部前側とカバー右壁板４４との連結部分には、下方に開口した挿入溝４６がそれぞれ形成され、これら挿入溝４６内には本体左壁板２５の前部前側の上端部および本体右壁板２６の前部前側の上端部がそれぞれ挿入される。【選択図】図３
2019114457.tif 000002
【特許請求の範囲】
【請求項１】
複数の電線および前記複数の電線を包囲するシールド導体を備えたケーブルの端部に接続されるシールド端子ユニットであって、
前記複数の電線の芯線がそれぞれ接続される複数の端子と、
前記複数の端子を支持する端子支持部材と、
導電材料により形成され、前記各端子、および前記各電線の端部であって前記シールド導体から露出した部分を包囲するシールドケースとを備え、
前記シールドケースは、ケース本体と、カバーと、前記カバーを前記ケース本体に係止する係止機構とを有し、
前記ケース本体は、
下壁板および左右一対の第１の側壁板により形成され、前記各端子が支持された前記端子支持部材、および前記各電線の端部であって前記シールド導体から露出した部分を収容する収容部と、
前記ケーブルの端部を固定し、かつ当該ケース本体と前記シールド導体とを電気的に接続するケーブル固定部とを有し、
前記カバーは、
前記収容部の上側を覆う上壁板と、
前記上壁板前部の左右両端部から前記一対の第１の側壁板前部の外側を下方へそれぞれ伸長する一対の第２の側壁板とを有し、
前記上壁板前部の左右方向中間部が下方に窪むことにより前記上壁板と前記一対の第２の側壁板とのそれぞれの連結部分には下方に開口した挿入溝がそれぞれ形成され、これら挿入溝内には前記一対の第１の側壁板前部の上端部がそれぞれ挿入されていることを特徴とするシールド端子ユニット。
【請求項２】
前記上壁板と前記一対の第２の側壁板とのそれぞれの連結部分は、前記上壁板前部の左右方向中間部の上面よりも上方にそれぞれ隆起し、それぞれの横断面形状が逆Ｕ字状であることを特徴とする請求項１に記載のシールド端子ユニット。
【請求項３】
前記上壁板の一部は前記上壁板後部の下面が前記上壁板前部の左右方向中間部の下面よりも下方に位置するように折れ曲がっていることを特徴とする請求項１または２に記載のシールド端子ユニット。
【請求項４】
前記カバーには、前記シールド導体または前記ケーブル固定部に接触するシールド導体接続部が設けられていることを特徴とする請求項１ないし３のいずれかに記載のシールド端子ユニット。
【請求項５】
前記各端子が支持された前記端子支持部材は前記上壁板前部の左右方向中間部、前記下壁板前部および前記一対の第１の側壁板前部により包囲され、前記各電線の端部であって前記シールド導体から露出した部分は前記上壁板後部、前記下壁板後部および前記一対の第１の側壁板後部により包囲されていることを特徴とする請求項１ないし４のいずれかに記載のシールド端子ユニット。
【請求項６】
前記下壁板後部には前記下壁板前部および前記ケーブル固定部の下部よりも上方に凹んだ下凹部が形成されていることを特徴とする請求項１ないし５のいずれかに記載のシールド端子ユニット。
【請求項７】
前記各第１の側壁板の後部には、当該第１の側壁板の前部および前記ケーブル固定部の側部よりも前記ケース本体の左右方向内側に凹んだ横凹部が形成されていることを特徴とする請求項１ないし６のいずれかに記載のシールド端子ユニット。
【請求項８】
請求項１ないし７のいずれかに記載のシールド端子ユニットと、当該シールド端子ユニットを収容するハウジングとを備えたコネクタ。
【発明の詳細な説明】
【技術分野】
【０００１】
本発明は電子、電気機器間等の電気的接続に用いられるシールド端子ユニットおよびコネクタに関する。
【背景技術】
【０００２】
例えば自動車におけるデジタルカメラから電子制御ユニット（ＥＣＵ）への映像信号の伝送等、高周波信号の伝送に用いられるケーブルコネクタとして、多芯のシールドケーブルの複数の芯線がそれぞれ接続された複数の端子と、これら端子をシールドする金属製のシールドケースと、当該シールドケースを収容する樹脂製のハウジングとを備えたケーブルコネクタが知られている（例えば、特許文献１を参照）。
【先行技術文献】
【特許文献】
【０００３】
【特許文献１】特開２０１３−４５７２５号公報
【発明の概要】
【発明が解決しようとする課題】
【０００４】
高周波信号の伝送品質を高めるためには、シールドによる耐ノイズ性の向上に加え、ケーブルコネクタとこれに接続されるシールドケーブルまたは相手コネクタ等との間においてインピーダンスの整合をとることにより、信号の波形品質劣化を抑制し、または信号の伝送損失を低減することが要求される。
【０００５】
ケーブルコネクタにおいて、シールドケース内には、シールドケーブルの複数の芯線がそれぞれ接続された複数の端子が樹脂製の端子支持部材に支持された状態で収容されている。また、シールドケース内には、シールドケーブルの各芯線を各端子に接続するためにシールドケーブルの編組から露出した複数の電線の端部が収容されている。ケーブルコネクタのインピーダンスの調整は、各端子とシールドケースの壁部との距離や、電線の端部とシールドケースの壁部との距離を調整することにより行うことができる。また、これらの距離の調整は、筒状のシールドケースの径寸法や形状を調整することにより行うことができる。
【０００６】
しかしながら、インピーダンスの調整のために例えばシールドケースの径寸法を小さくすると、ケーブルコネクタの組立性が悪くなるおそれがある。例えば、シールドケーブルの芯線が接続された端子を端子支持部材に支持した後、その端子支持部材を筒状のシールドケースの後端の開口部からシールドケース内に挿入するといった方法によれば、ケーブルコネクタを容易に組み立てることができる。ところが、シールドケースの径寸法が小さくなると、端子支持部材をシールドケースの後端の開口部からシールドケース内に挿入することが困難になり、組立性が悪化する。
【０００７】
一方、シールドケースを例えば本体およびカバーの２つの部材に上下に分割可能とすることにより、ケーブルコネクタの組立性を改善することができる。例えば、芯線の接続された端子が支持された端子支持部材をシールドケースの本体上に置いた後、当該本体の上方からシールドケースのカバーを装着することによりケーブルコネクタを容易に組み立てることができる。しかしながら、シールドケースを複数の部材に分割すると、シールドケースの強度が低下し、シールドケースが外力により変形し易くなるおそれがある。
【０００８】
本発明は例えば上述したような問題に鑑みなされたものであり、本発明の課題は、組立容易性およびシールドケースの強度を確保しつつインピーダンス整合を容易に図ることができるシールド端子ユニットおよびコネクタを提供することにある。
【課題を解決するための手段】
【０００９】
上記課題を解決するために、本発明のシールド端子ユニットは、複数の電線および複数の電線を包囲するシールド導体を備えたケーブルの端部に接続されるシールド端子ユニットであって、複数の電線の芯線がそれぞれ接続される複数の端子と、複数の端子を支持する端子支持部材と、導電材料により形成され、各端子、および各電線の端部であってシールド導体から露出した部分を包囲するシールドケースとを備え、シールドケースは、ケース本体と、カバーと、カバーをケース本体に係止する係止機構とを有し、ケース本体は、下壁板および左右一対の第１の側壁板により形成され、各端子が支持された端子支持部材、および各電線の端部であってシールド導体から露出した部分を収容する収容部と、ケーブルの端部を固定し、かつ当該ケース本体とシールド導体とを電気的に接続するケーブル固定部とを有し、カバーは、収容部の上側を覆う上壁板と、上壁板前部の左右両端部から一対の第１の側壁板前部の外側を下方へそれぞれ伸長する一対の第２の側壁板とを有し、上壁板前部の左右方向中間部が下方に窪むことにより上壁板と一対の第２の側壁板とのそれぞれの連結部分には下方に開口した挿入溝がそれぞれ形成され、これら挿入溝内には一対の第１の側壁板前部の上端部がそれぞれ挿入されていることを特徴とする。
【００１０】
また、上記本発明のシールド端子ユニットにおいて、上壁板と一対の第２の側壁板とのそれぞれの連結部分は、上壁板前部の左右方向中間部の上面よりも上方にそれぞれ隆起し、それぞれの横断面形状が逆Ｕ字状であることが好ましい。
【００１１】
また、上記本発明のシールド端子ユニットにおいて、上壁板の一部は上壁板後部の下面が上壁板前部の左右方向中間部の下面よりも下方に位置するように折れ曲がっていることが好ましい。
【００１２】
また、上記本発明のシールド端子ユニットにおいて、カバーには、シールド導体またはケーブル固定部に接触するシールド導体接続部が設けられていることが好ましい。
【００１３】
また、上記本発明のシールド端子ユニットにおいて、各端子が支持された端子支持部材は上壁板前部の左右方向中間部、下壁板前部および一対の第１の側壁板前部により包囲され、各電線の端部であってシールド導体から露出した部分は上壁板後部、下壁板後部および一対の第１の側壁板後部により包囲されていることが好ましい。
【００１４】
また、上記本発明のシールド端子ユニットにおいて、下壁板後部には下壁板前部およびケーブル固定部の下部よりも上方に凹んだ下凹部が形成されていることが好ましい。また、上記本発明のシールド端子ユニットにおいて、各第１の側壁板の後部には、当該第１の側壁板の前部およびケーブル固定部の側部よりもケース本体の左右方向内側に凹んだ横凹部が形成されていることが好ましい。
【００１５】
また、上記課題を解決するために、本発明のコネクタは、上記本発明のシールド端子ユニットと、当該シールド端子ユニットを収容するハウジングとを備えている。
【発明の効果】
【００１６】
本発明によれば、シールド端子ユニットの組立容易性およびシールドケースの強度を確保しつつ、シールド端子ユニットに接続されたケーブルまたは相手コネクタ等とのインピーダンス整合を容易に図ることができる。
【図面の簡単な説明】
【００１７】
【図１】本発明の実施形態の第１および第２のコネクタを示す外観図である。
【図２】本発明の実施形態の第１および第２のシールド端子ユニットを示す外観図である。
【図３】第１のシールド端子ユニットの分解斜視図である。
【図４】第１のシールド端子ユニットの縦断面図である。
【図５】第１のシールド端子ユニットのシールドケースの横断面図である。
【図６】第１のシールド端子ユニットのシールドケースの一部を示す説明図である。
【図７】第１のシールド端子ユニットのシールドケース本体を上方から見た外観図である。
【図８】第１のシールド端子ユニットのシールドケース本体を左方から見た外観図である。
【図９】第１のシールド端子ユニットのシールドカバーを上方から見た外観図である。
【図１０】第１のシールド端子ユニットのシールドカバーを左方から見た外観図である。
【図１１】第２のシールド端子ユニットの分解斜視図である。
【図１２】第２のシールド端子ユニットの縦断面図である。
【図１３】第２のシールド端子ユニットのシールドケースの横断面図である。
【図１４】本発明の実施形態のシールド端子ユニットの変形例を示す外観図である。
【発明を実施するための形態】
【００１８】
（第１のコネクタ、第２のコネクタ）
図１は本発明の実施形態の第１のコネクタ１および第２のコネクタ２を示している。図２は本発明の実施形態の第１のシールド端子ユニット１１および第２のシールド端子ユニット７１を示している。なお、コネクタ１およびシールド端子ユニット１１に関して方向を述べる際には、図１ないし図１０の右下に描いた、前（Ｆ１）、後（Ｂ１）、左（Ｌ１）、右（Ｒ１）、上（Ｕ１）、下（Ｄ１）の方向を示す矢印に従う。また、コネクタ２およびシールド端子ユニット７１に関して方向を述べる際には、図１および図２の左下、並びに図１１ないし図１３の右下に描いた、前（Ｆ２）、後（Ｂ２）、左（Ｌ２）、右（Ｒ２）、上（Ｕ２）、下（Ｄ２）の方向を示す矢印に従う。なお、これらの方向は説明の便宜のために定めたにすぎない。
【００１９】
図１に示すコネクタ１および２はいずれもケーブルコネクタであり、互いに接続することができる。また、コネクタ１にはケーブル３が接続され、コネクタ２にはケーブル４が接続されている。ケーブル３および４はそれぞれ４芯のシールドケーブルである。
【００２０】
コネクタ１は、図２に示すシールド端子ユニット１１と、シールド端子ユニット１１を収容するハウジング９１とを備えている。ハウジング９１は樹脂等の絶縁材料により筒状に形成されている。シールド端子ユニット１１はケーブル３の端部に接続されている。また、シールド端子ユニット１１は、後述のユニット係止部３３、３４、およびハウジング９１に装着されたリテーナ（図示せず）によりハウジング９１内に支持されている。
【００２１】
コネクタ２は、図２に示すシールド端子ユニット７１と、シールド端子ユニット７１を収容するハウジング９５とを備えている。ハウジング９５は樹脂等の絶縁材料により筒状に形成されている。シールド端子ユニット７１はケーブル４の端部に接続されている。また、シールド端子ユニット７１は、後述のユニット係止部７８、３４、およびハウジング９５に装着されたリテーナ（図示せず）によりハウジング９５内に支持されている。
【００２２】
コネクタ１および２を互いに接続する際には、コネクタ１のハウジング９１の前部に形成された嵌合部９２を、コネクタ２のハウジング９５の前部に形成された嵌合穴９６に挿入する。嵌合部９２を嵌合穴９６に挿入すると、シールド端子ユニット１１の４つの端子１２と、シールド端子ユニット７１の４つの端子７２とがそれぞれ互いに接触し、互いに電気的に接続される。これと同時に、シールド端子ユニット１１のシールドケース２１のシールドケース接触部６１と、シールド端子ユニット７１のシールドケース７５のシールドケース接触部８５とが互いに接触し、互いに電気的に接続される。また、嵌合部９２を嵌合穴９６内の奥まで挿入すると、ハウジング９１に設けられたロック機構９３により、コネクタ１とコネクタ２とがロックされる。
【００２３】
（第１のシールド端子ユニット）
図３は第１のシールド端子ユニット１１を分解した状態を示している。図４は図２中の矢示ＩＶ−ＩＶ方向から見たシールド端子ユニット１１の縦断面を示している。図２および図３に示すように、シールド端子ユニット１１は、４つの端子１２、端子支持部材１３およびシールドケース２１を有している。
【００２４】
各端子１２は、例えば黄銅、りん青銅等の導電材料により形成されている。図４に示すように、各端子１２の前端側には、第２のシールド端子ユニット７１の端子７２と接触する略円筒状の端子接触部１２Ａが形成され、各端子１２の後端側にはケーブル３の芯線６を接続するためのバレル１２Ｂが形成されている。
【００２５】
ケーブル３は、芯線６を絶縁体７で覆うことにより形成された４本の電線５をシールド導体としての編組８により包囲し、さらに編組８を絶縁材料により形成されたシース９で覆うことにより形成されている。シールド端子ユニット１１にケーブル３を接続するために、ケーブル３において、シース９の端部が切除され、編組８の端部がシース９の外周側を覆うように折り返され、各電線５の端部が編組８から露出している。また、各電線５の先端部において絶縁体７が切除され、絶縁体７から芯線６の先端部が露出し、露出した芯線６の先端部が端子１２のバレル１２Ｂに圧着されている。
【００２６】
端子支持部材１３は各端子１２を支持するための部材であり、樹脂等の絶縁材料により略直方体状に形成されている。また、端子支持部材１３には４つの端子装着溝１４が形成されており、芯線６が圧着された４つの端子１２がこれら端子装着溝１４内にそれぞれ装着され、支持されている。また、端子支持部材１３の前端部には、４つの端子１２の先端部と対応するように４つの連通穴１５が形成されている。
【００２７】
シールドケース２１は、例えばステンレス等の導電材料により全体的に見て略角筒状に形成され、各端子１２、および各電線５の端部であって編組８から露出した部分を包囲している。シールドケース２１は、シールドケース本体２２およびシールドカバー４１を有している。さらに、シールドケース２１は係止機構としての本体係止部３１およびカバー係止部５３を有している。
【００２８】
図５は図４中の矢示Ｖ−Ｖ方向から見たシールドケース２１の横断面を示している。図６は、シールドケース２１の前側部分を後左上方から見た状態を示している。図７はシールドケース本体２２を上方から見た状態を示し、図８はシールドケース本体２２を左方から見た状態を示している。シールドケース本体２２は、各端子１２が支持された端子支持部材１３および各電線５の端部であって編組８から露出した部分を収容する収容部２３と、第２のシールド端子ユニット７１のシールドケース７５と接触するシールドケース接触部６１の一部を構成する下板部３５、左板部３６および右板部３７と、ケーブル３の端部を固定し、かつシールドケース本体２２と編組８とを電気的に接続するケーブル固定部３８とを有している。シールドケース本体２２は例えばプレス成形により形成されている。
【００２９】
シールドケース本体２２の前後方向において図７または図８中の位置ａから位置ｄまでの部分が収容部２３である。収容部２３は、下壁板２４および左右一対の第１の側壁板（本体左壁板２５および本体右壁板２６）により、その横断面形状が略コ字状となるように形成されている。
【００３０】
また、下壁板２４の前部（位置ａから位置ｃまでの部分）において左右方向中間部には下側窪み部２７が形成されている。下側窪み部２７は、下壁板２４の前部における前端部から後端部に亘って伸長している。下壁板２４において下側窪み部２７が形成された部分では、図５に示すように、下壁板２４の下面が上方に窪み、それに対応して下壁板２４の上面が上方に盛り上がっている。
【００３１】
また、下壁板２４の後部（位置ｃから位置ｄまでの部分）の全域には下凹部２８が形成されている。下壁板２４において下凹部２８が形成されている部分では、下壁板２４の下面が上方に凹み、それに対応して下壁板２４の上面が上方に盛り上がっている。また、本体左壁板２５の後部（位置ｃから位置ｄまでの部分）の全域には横凹部としての左凹部２９が形成されている。本体左壁板２５において左凹部２９が形成されている部分では、本体左壁板２５の左面が右方に凹み、それに対応して本体左壁板２５の右面が右方に盛り上がっている。また、本体右壁板２６の後部（位置ｃから位置ｄまでの部分）の全域には横凹部としての右凹部３０が形成されている。本体右壁板２６において右凹部３０が形成されている部分では、本体右壁板２６の右面が左方に凹み、それに対応して本体右壁板２６の左面が左方に盛り上がっている。また、下壁板２４において下凹部２８が形成されている部分は、ケーブル固定部３８の下部よりも上方に凹み、本体左壁板２５において左凹部２９が形成されている部分は、ケーブル固定部３８の側部（左部）よりも内側（右方）に凹み、本体右壁板２６において右凹部３０が形成されている部分は、ケーブル固定部３８の側部（右部）よりも内側（左方）に凹んでいる。また、下凹部２８における凹み（盛り上がり）の程度は、下壁板２４の後部における前端部（位置ｃ）から後方に向かって徐々に大きくなり、下壁板２４の後部における前後方向中間部で最大となり、その後、下壁板２４の後部における後端部（位置ｄ）に向かって徐々に小さくなっている。左凹部２９および右凹部３０のそれぞれにおける凹み（盛り上がり）の程度もこれと同様に変化している（図７参照）。これにより、収容部２３の後部は括れた形状となっている。
【００３２】
また、本体左壁板２５の前部および本体右壁板２６の前部には、本体係止部３１がそれぞれ形成されている。本実施形態において、左側の本体係止部３１は本体左壁板２５の左面の一部を右方に凹ますことにより形成され、右側の本体係止部３１は本体右壁板２６の右面の一部を左方に凹ますことにより形成されている。また、本体左壁板２５の右面において左側の本体係止部３１に対応する部分が右方に突出し、本体右壁板２６の左面において右側の本体係止部３１に対応する部分が左方に突出している。これら突出した部分は、端子支持部材１３の左面および右面に形成された係合凹部１６（図３参照）とそれぞれ係合する。これにより、収容部２３内における端子支持部材１３の位置が定まる。
【００３３】
また、図８に示すように、本体左壁板２５の前部の上端面は、本体左壁板２５の前部における前後方向中間よりも後側の位置ｂを境にして、その後側部分が前側部分よりも下降しており、これらの部分の間に段部３２が形成されている。同様に、本体右壁板２６の前部の上端部にも段部３２が形成されている。これら段部３２には、図６に示すように、シールドカバー４１の角部５０Ａがそれぞれ接触する。これにより、シールドケース本体２２に対するシールドカバー４１の前後方向の位置が定まる。
【００３４】
また、図７または図８に示すように、本体左壁板２５の前部には左方へ突出するユニット係止部３３が形成され、本体右壁板２６の前部には右方に突出するユニット係止部３３が形成されている。また、本体左壁板２５の後部および本体右壁板２６の後部には上方に突出するユニット係止部３４がそれぞれ形成されている。これらユニット係止部３３、３４は、シールド端子ユニット１１をハウジング９１内に係止して支持する機能を有している。
【００３５】
また、下板部３５、左板部３６および右板部３７は、収容部２３の前端側に設けられている。具体的には、下板部３５は下壁板２４の前端部から真っ直ぐ前方を伸長している。左板部３６は本体左壁板２５の前端部から左前方へ伸長した後、本体左壁板２５と平行に前方へ伸長している。右板部３７は本体右壁板２６の前端部から右前方へ伸長した後、本体右壁板２６と平行に前方へ伸長している。左板部３６と右板部３７との間の距離は本体左壁板２５の前部と本体右壁板２６の前部との間の距離よりも大きい。また、下板部３５の左端と左板部３６の下端とは結合しており、下板部３５の右端と右板部３７の下端とは結合している。また、下板部３５、左板部３６および右板部３７のそれぞれには内側へ突出する凸状の接点６２が形成されている。
【００３６】
また、ケーブル固定部３８は収容部２３の後端側に設けられている。具体的には、ケーブル固定部３８は、下壁板２４、本体左壁板２５および本体右壁板２６の後端部に結合している。ケーブル固定部３８はバレルであり、ケーブル固定部３８には、編組８が折り返されたケーブル３の端部が圧着される。これにより、ケーブル固定部３８と編組８とが互いに接触し、かつ、ケーブル３がケーブル固定部３８に支持される。
【００３７】
図９はシールドカバー４１を上方から見た状態を示し、図１０はシールドカバー４１を左方から見た状態を示している。シールドカバー４１は、シールドケース本体２２の収容部２３の上側を覆う上壁板４２と、上壁板４２の前部前側の左右両端部から下方へそれぞれ伸長する一対の第２の側壁板（カバー左壁板４３およびカバー右壁板４４）と、シールドカバー４１と編組８とを電気的に接続するシールド導体接続部としての編組接触部５５と、第２のシールド端子ユニット７１のシールドケース７５と接触するシールドケース接触部６１の一部を構成する上板部５４とを有している。シールドカバー４１は例えばプレス成形により形成されている。
【００３８】
シールドカバー４１の前後方向において図９または図１０中の位置ｐから位置ｓまでの部分が上壁板４２である。上壁板４２の前部前側（位置ｐから位置ｑまでの部分）における左右方向中間部には、下方に窪んだ上側窪み部４５が形成されている。上側窪み部４５は、上壁板４２の前部前側の左縁部および右縁部よりも下方に位置している。上壁板４２の前部前側に上側窪み部４５が形成されていることにより、上壁板４２の前部前側とカバー左壁板４３との連結部分、および上壁板４２の前部前側とカバー右壁板４４との連結部分には、図５に示すように、下方に開口した挿入溝４６がそれぞれ形成されている。上側窪み部４５を基準にこの構造を説明すると、上壁板４２の前部前側とカバー左壁板４３との連結部分、および上壁板４２の前部前側とカバー右壁板４４との連結部分は、上側窪み部４５の上面よりも上方にそれぞれ隆起し、それぞれの横断面形状が逆Ｕ字状となっている。そして、これら逆Ｕ字状となった部分の内側が挿入溝４６に相当する。以下、これら隆起した部分をそれぞれ隆起部４７と呼ぶこととする。
【００３９】
図５に示すように、左側の挿入溝４６内には本体左壁板２５の前部前側の上端部が挿入され、右側の挿入溝４６内には本体右壁板２６の前部前側の上端部が挿入される。これにより、上壁板４２の前部前側の左右方向中間部の下面は、本体左壁板２５の前部前側の上端面および本体右壁板２６の前部前側の上端面よりも下方に位置する。
【００４０】
また、図９に示すように、上壁板４２の前部において、各隆起部４７の後端は、上壁板４２の前部における前後方向中間よりも後側の位置ｑに位置している。また、位置ｑにおいて上壁板４２の左縁部および右縁部にはスリット４９がそれぞれ形成されている。さらに、上壁板４２の前部において位置ｑよりも後側の部分（位置ｑから位置ｒまでの部分）には、上側窪み部４５の上面および下面と同じ高さの上面および下面を有する平板部５０が形成されている。また、図６に示すように、平板部５０における左右両端前部の角部５０Ａはシールドケース本体２２の左右一対の段部３２とそれぞれ接触する。
【００４１】
また、図１０に示すように、上壁板４２は、前後方向中間またはそれよりも後側の位置ｒに形成された折れ曲がり部５１においてＳ字状またはクランク状に折れ曲がっている。これにより、上壁板４２の後部５２（位置ｒから位置ｓまでの部分）の下面が上側窪み部４５または平板部５０の下面よりも下方に位置している。また、上壁板４２の後部５２は、シールドケース本体２２の左凹部２９および右凹部３０の形状に対応するように前後方向中間部の幅が小さくなっている。
【００４２】
また、カバー左壁板４３は、上壁板４２の前部前側の左端部から本体左壁板２５の前部の外側（左側）を下方へ伸長している。カバー左壁板４３の右面と本体左壁板２５の左面とは互いに接触し、両者は電気的に接続される。また、カバー右壁板４４は、上壁板４２の前部前側の右端部から本体右壁板２６の前部の外側（右側）を下方へ伸長している。カバー右壁板４４の左面と本体右壁板２６の右面とは互いに接触し、両者は電気的に接続される。
【００４３】
また、カバー左壁板４３およびカバー右壁板４４にはカバー係止部５３がそれぞれ形成されている。本実施形態において、左側のカバー係止部５３はカバー左壁板４３の右面の一部を右方に突出させることにより形成され、右側のカバー係止部５３はカバー右壁板４４の左面の一部を左方に突出させることにより形成されている。図５に示すように、各カバー係止部５３が対応する本体係止部３１内に入り込むことにより、シールドカバー４１とシールドケース本体２２とが互いに係止される。
【００４４】
また、上板部５４は、シールドケース本体２２の下板部３５、左板部３６および右板部３７と共にシールドケース接触部６１を構成する。上板部５４は上壁板４２の前端側に設けられている。具体的には、上板部５４は、図１０に示すように、上壁板４２の前端側から前方へ伸長している。上板部５４は各隆起部４７の頂部と同じ高さに位置している。また、上側窪み部４５の前端側から上板部５４の後端側にかけての部分には、前方に行くに連れて上方に漸次変位する傾斜が形成されている。また、上板部５４には内側（下方）へ突出する凸状の接点６２が形成されている。
【００４５】
また、編組接触部５５は上板部５４の後部に設けられている。具体的には、編組接触部５５は、図１０に示すように、上板部５４の後部の後端から上方に伸長し、その後、後方へ曲がり、その後、後方へ上壁板４２と平行に伸長している。また、編組接触部５５の後部は、上壁板４２の後部５２よりも幅が大きくなっている。また、編組接触部５５の後部は、その左右方向中間部が上方に盛り上がるように湾曲しており、ケーブル固定部３８に固定されるケーブル３の外面の湾曲に合致する形状を有している。編組接触部５５はケーブル３の端部と共にケーブル固定部３８に圧着される。これにより、編組接触部５５は編組８またはケーブル固定部３８と接触し、編組８と電気的に接続される。
【００４６】
コネクタ１の組立方法は次の通りである。まず、芯線６が圧着された各端子１２が装着された端子支持部材１３をシールドケース本体２２の収容部２３内にその上方から入れる。次に、シールドカバー４１をシールドケース本体２２にその上方から取り付ける。次に、編組８が折り返されたケーブル３の端部および編組接触部５５をケーブル固定部３８に圧着して固定する。次に、このようにしてケーブル３が接続されたシールド端子ユニット１１をハウジング９１に装着する。
【００４７】
ケーブル３が接続された状態のシールド端子ユニット１１においては、図４に示すように、各端子１２が支持された端子支持部材１３が上側窪み部４５、平板部５０、下壁板２４の前部、本体左壁板２５の前部および本体右壁板２６の前部により包囲されている。また、各電線５の端部であって編組８から露出した部分は上壁板４２の後部５２、下凹部２８、左凹部２９および右凹部３０により包囲されている。また、シールドケース本体２２はケーブル固定部３８を介して編組８と電気的に接続され、シールドカバー４１は編組接触部５５を介して編組８と電気的に接続されている。また、シールドカバー４１はカバー左壁板４３およびカバー右壁板４４を介してシールドケース本体２２と電気的に接続されている。
【００４８】
以上の構成を有する本実施形態の第１のシールド端子ユニット１１では、シールドカバー４１の上壁板４２の前部前側における左右方向中間部に上側窪み部４５が形成されている。この構成により、上壁板４２の下面と、収容部２３に収容された各端子１２との間の距離を短くすることができる。これにより、シールド端子ユニット１１のインピーダンスを下げることができ、ケーブル３または相手コネクタとの間においてインピーダンスの整合を容易にとることができる。
【００４９】
また、シールド端子ユニット１１では、シールドケース本体２２に下側窪み部２７が形成されている。この構成により、シールドケース本体２２と各端子１２との距離を短くすることができ、シールド端子ユニット１１のインピーダンスを一層下げることができる。
【００５０】
また、シールド端子ユニット１１では、シールドカバー４１の上壁板４２の後部５２が上壁板４２の前部よりも下降している。この構成により、編組８から露出した各電線５の端部と上壁板４２との距離を短くすることができる。これにより、シールド端子ユニット１１のインピーダンスを一層下げることができる。
【００５１】
また、シールド端子ユニット１１では、シールドケース本体２２に下凹部２８、左凹部２９および右凹部３０が設けられている。この構成により、シールドケース本体２２において、編組８から露出した各電線５の端部に接近する箇所を増やすことができる。これにより、シールド端子ユニット１１のインピーダンスを一層下げることができる。
【００５２】
また、シールド端子ユニット１１では、シールドカバー４１に形成された一対の挿入溝４６内に、シールドケース本体２２の本体左壁板２５の前部および本体右壁板２６の前部のそれぞれの上端部が挿入されている。この構成により、本体左壁板２５の前部および本体右壁板２６の前部のそれぞれの上端部が挿入溝４６内にそれぞれ支持され、左右方向に位置ずれし難くなる。これにより、シールドケース２１の強度が高まる。具体的に説明すると、例えば、シールドケース２１のように本体とカバーとに上下に分割されている構造のシールドケースにおいて、仮にカバーの上壁板に挿入溝を設けず、本体の左壁板および右壁板のそれぞれの上端面をカバーの上壁板の平らな下面に単に接触または接近させる構成とした場合には、シールドケースの上部に左または右方向の外力が加わったとき、本体の左壁板または右壁板が下壁板に対して傾斜し、シールドケースの正方形の横断面形状が変形して平行四辺形または台形になってしまうおそれがある。これに対し、本発明の実施形態のシールド端子ユニット１１のシールドケース２１では、本体左壁板２５の前部および本体右壁板２６の前部のそれぞれの上端部が左右一対の挿入溝４６内にそれぞれ挿入されて支持されているので、シールドケース２１に上記外力が加わったときにシールドケース２１の正方形の横断面形状が変形することを抑制することができる。
【００５３】
また、シールド端子ユニット１１では、シールドカバー４１がシールドケース本体２２に対して脱着可能であり、シールドカバー４１をシールドケース本体２２から外すことにより、シールドケース本体２２の上部の全域が開口する。この構成により、シールド端子ユニット１１の組立容易性を高めることができる。すなわち、収容部２３の後部は、下凹部２８、左凹部２９および右凹部３０が形成されているために括れた形状となっている。このため、端子１２が装着された端子支持部材１３をシールドケース２１の後端の開口部から収容部２３内へ挿入することができない。しかしながら、シールド端子ユニット１１では、シールドカバー４１をシールドケース本体２２から外すことにより、端子１２が装着された端子支持部材１３をシールドケース本体２２の上方から収容部２３内へ容易に入れることができる。したがって、シールド端子ユニット１１を容易に組み立てることができる。
【００５４】
（第２のシールド端子ユニット）
図１１は第２のシールド端子ユニット７１を分解した状態を示している。図１２は図２中の矢示ＸＩＩ−ＸＩＩ方向から見たシールド端子ユニット７１の縦断面を示している。図１３は図１２中の矢示ＸＩＩＩ−ＸＩＩＩ方向から見たシールド端子ユニット７１のシールドケース７５の横断面を示している。なお、第２のシールド端子ユニット７１において、第１のシールド端子ユニット１１と同一の構成要素には同一の符号を付し、その説明を省略する。
【００５５】
図１１に示すように、シールド端子ユニット７１においては、各端子７２の端子接触部７２Ａがピン状である。各端子７２の端子接触部７２Ａは、第１のシールド端子ユニット１１の各端子１２の筒状の端子接触部１２Ａ内に挿入されることにより端子接触部１２Ａと接触する。
【００５６】
また、図１２および図１３に示すように、シールド端子ユニット７１においては、シールドケース本体７６の上下方向の寸法が、第１のシールド端子ユニット１１のシールドケース本体２２の上下方向の寸法よりも小さく、下壁板７７が全体的に端子支持部材１３の下面に接近している。そのため、シールドケース本体７６には下側窪み部が形成されていない。また、ユニット係止部７８が下壁板２４の下面から下方に突出している。
【００５７】
また、図１１に示すように、シールドケース接触部８５の左右方向の幅および上下方向の幅は、第１のシールド端子ユニット１１のシールドケース接触部６１の左右方向の幅および上下方向の幅よりもそれぞれ小さい。シールドケース接触部８５は、第１のシールド端子ユニット１１のシールドケース接触部６１内に挿入されることによりシールドケース接触部６１と接触する。
【００５８】
また、図１２に示すように、シールド端子ユニット７１のシールドカバー８３において、上板部８４は、上側窪み部４５よりも高く、各隆起部４７よりも低い位置に配置されている。また、シールドケース接触部８５の下板部７９、左板部８０、右板部８１および上板部８４には凸状の接点は設けられていない。
【００５９】
このような構成を有する第２のシールド端子ユニット７１も、第１のシールド端子ユニット１１の同様の作用効果を奏する。
【００６０】
なお、上記シールド端子ユニット１１（７１）において、シールドカバーをシールドケース本体に係止する係止機構として次のような構成を採用してもよい。すなわち、図１４に示すシールド端子ユニット１０１のように、シールドケース１０２のシールドケース本体１０３の本体左壁板１０５に、前後方向に離れた２つの本体係止部１０６を設け、シールドカバー１１１のカバー左壁板１１３に、これら本体係止部１０６とそれぞれ対応するように２つのカバー係止部１２３を設けてもよい。この場合、シールドケース本体１０３の本体右壁板およびシールドカバー１１１のカバー右壁板にも同様に２つの本体係止部および２つのカバー係止部をそれぞれ設ける。この構成によれば、シールドカバー１１１は４つの本体係止部１０６と４つのカバー係止部１２３との係止によりシールドケース本体１０３に支持されるので、シールドケース本体１０３に対するシールドカバー１１１の位置ずれを抑制する効果が高まる。また、図１４に示すシールド端子ユニット１０１のように、各本体係止部１０６を左右方向外側に突出する形状とし、各カバー係止部１２３を孔（または左右方向外側に凹む形状）としてもよい。
【００６１】
また、シールド端子ユニット１１（７１）では、シールドケース本体２２（７６）の前部に形成された段部３２とシールドカバー４１（８３）の平板部５０の角部５０Ａとを接触させる構成とした。しかしながら、図１４に示すシールド端子ユニット１０１のように、シールドケース本体１０３における本体左壁板１０５および本体右壁板のそれぞれの後部に形成された段部１０７と、シールドカバー１１１における上壁板１１２の上側窪み部１１５の左右両側に形成された隆起部１１７の後端１１７Ａとを接触させる構成としてもよい。この構成によっても、シールドケース本体１０３に対するシールドカバー１１１の前後方向の位置を定めることができる。
【００６２】
また、シールド端子ユニット１１（７１）では、左凹部２９および右凹部３０を、それぞれの凹みの程度がそれらの前端部（図７中の位置ｃ）から後方に向かって徐々に大きくなるように形成したが、図１４に示すシールド端子ユニット１０１のように、左凹部１０８および右凹部１０９を、それぞれの前端部において左右方向内側へ直角に急に凹むように形成してもよい。これにより、シールドケース本体１０３の後部の壁板を、編組８から露出した各電線５の端部に、より一層接近させることができる。
【００６３】
また、上記シールド端子ユニット１１および７１のそれぞれにおいて、端子の個数は２つ以上であればよい。また、上記コネクタ１および２は映像信号に限らず、種々の高周波信号の伝送に用いることができる。
【００６４】
また、本発明は、請求の範囲および明細書全体から読み取ることのできる発明の要旨または思想に反しない範囲で適宜変更可能であり、そのような変更を伴うシールド端子ユニットおよびコネクタもまた本発明の技術思想に含まれる。
【符号の説明】
【００６５】
１、２  コネクタ
３、４  ケーブル
１１、７１、１０１  シールド端子ユニット
１２  端子
１３  端子支持部材
２１、７５、１０２  シールドケース
２２、７６、１０３  シールドケース本体（ケース本体）
２３  収容部
２４、７７  下壁板
２５、１０５  本体左壁板（第１の側壁板）
２６  本体右壁板（第１の側壁板）
２８  下凹部
２９、１０８  左凹部（横凹部）
３０、１０９  右凹部（横凹部）
３１、１０６  本体係止部（係止機構）
３８  ケーブル固定部
４１、８３、１１１  シールドカバー（カバー）
４２、８４、１１２  上壁板
４３、１１３  カバー左壁板（第２の側壁板）
４４  カバー右壁板（第２の側壁板）
４５、１１５  上側窪み部
４６  挿入溝
４７、１１７  隆起部
５１  折れ曲がり部
５２  後部
５３、１２３  カバー係止部（係止機構）
５５  編組接触部（シールド導体接続部）
【図１】
2019114457.tif 000003
【図２】
2019114457.tif 000004
【図３】
2019114457.tif 000005
【図４】
2019114457.tif 000006
【図５】
2019114457.tif 000007
【図６】
2019114457.tif 000008
【図７】
2019114457.tif 000009
【図８】
2019114457.tif 000010
【図９】
2019114457.tif 000011
【図１０】
2019114457.tif 000012
【図１１】
2019114457.tif 000013
【図１２】
2019114457.tif 000014
【図１３】
2019114457.tif 000015
【図１４】
2019114457.tif 000016